【手続補正書】
【提出日】平成17年12月14日(2005.12.14)
【手続補正１】
【補正対象書類名】明細書
【補正対象項目名】特許請求の範囲
【補正方法】変更
【補正の内容】
【特許請求の範囲】
【請求項１】  画像形成装置におけるフリッカ抑制装置において、
加熱素子を有する定着器と、
前記定着器の温度を検出する温度検出手段と、
前記温度検出手段により検出される温度が目標温度になるように、パルス信号の周期により前記加熱素子の駆動を制御する温度制御手段と
を備え、
前記温度制御手段は、画像形成可能なスタンバイ状態における電力変動回数の軽減のために画像形成動作時におけるパルス信号の周期よりもスタンバイ状態におけるパルス信号の周期を長くした
ことを特徴とするフリッカ抑制装置。
【請求項２】  請求項１において、
前記定着器は、第１および第２の加熱素子を有し、
前記温度制御手段は、前記第１および第２の加熱素子のそれぞれに対して、画像形成動作時におけるパルス信号の周期よりも、スタンバイ状態におけるパルス信号の周期を長くした
ことを特徴とするフリッカ抑制装置。
【請求項３】  請求項２において、
前記温度制御手段は、画像形成時における前記第１の加熱素子のオン時間と前記第２の加熱素子のオン時間よりも、スタンバイ時における前記第１の加熱素子のオン時間と前記第２の加熱素子のオン時間を長くしたことを特徴とするフリッカ抑制装置。
【請求項４】  画像形成装置におけるフリッカ抑制装置において、
加熱素子を有する定着器と、
前記定着器の温度を検出する温度検出手段と、
前記加熱素子をオンする時間を表わす制御データを格納したメモリと、
前記温度検出手段により検出される温度が目標温度になるように前記メモリから読み出した制御データに基づく周期のパルス信号により前記加熱素子の駆動を制御する温度制御手段と
を備え、
画像形成可能なスタンバイ状態における電力変動回数の軽減のために、スタンバイ状態における制御データのオン時間が、画像形成動作時における制御データのオン時間よりも長くした
ことを特徴とするフリッカ抑制装置。
【請求項５】  請求項４において、
前記定着器は、第１および第２の加熱素子を有し、
前記温度制御手段は、前記第１および第２の加熱素子のそれぞれに対して画像形成動作時におけるパルス信号の周期よりもスタンバイ状態におけるパルス信号の周期を長くした
ことを特徴とするフリッカ抑制装置。
【請求項６】  請求項５において、前記温度制御手段は、画像形成時における前記第１の加熱素子のオン時間と前記第２の加熱素子のオン時間よりも、スタンバイ時における前記第１の加熱素子のオン時間と前記第２の加熱素子のオン時間を長くしたことを特徴とするフリッカ抑制装置。
【請求項７】  加熱素子を有する定着器と、
前記定着器の温度を検出する温度検出手段と、
前記加熱素子をオンする時間を表わす制御データを格納したメモリと
を有する画像形成装置におけるフリッカ抑制方法において、
画像形成可能なスタンバイ状態になったとき、前記メモリからスタンバイ状態におけるオン時間を表わす第１の制御データを読み出す第１読み出しステップと、
前記温度検出手段により検出される温度が第１の目標温度になるように、前記第１読み出しステップで読み出された第１の制御データに基づく周期のパルス信号により前記加熱素子を駆動する第１駆動ステップと、
画像形成動作が開始されたとき、前記メモリから画像形成時におけるオン時間を表わす第２の制御データを読み出す第２読み出しステップと、
前記温度検出手段により検出される温度が第１の目標温度になるように、前記第２読み出しステップで読み出された第２の制御データに基づく周期のパルス信号により前記加熱素子を駆動する第２駆動ステップと
を備え、
スタンバイ状態における電力変動回数の軽減のために、スタンバイ時におけるパルス信号の周期を、像形成時におけるパルス信号の周期よりも長くした
ことを特徴とするフリッカ抑制方法。
【請求項８】  請求項７において、
前記定着器は第１および第２の加熱素子を有し、
前記第１および第２駆動ステップでは、前記第１および第２の加熱素子それぞれに対して読み出された制御データに基づく周期のパルス信号により前記第１および第２の加熱素子を駆動する
ことを特徴とするフリッカ抑制方法。
【請求項９】  請求項８において、
スタンバイ時における前記第１の加熱素子のオン時間と前記第２の加熱素子のオン時間は、画像形成時における前記第１の加熱素子のオン時間と前記第２の加熱素子のオン時間よりも長くしたことを特徴とするフリッカ抑制方法。
【請求項１０】  加熱素子を有する定着器と、
前記定着器の温度を検出する温度検出手段と、
前記温度検出手段により検出される温度が目標温度になるように前記加熱素子の駆動を制御する温度制御手段と
を有する画像形成装置におけるフリッカ抑制装置において、
前記温度制御手段は、画像形成可能なスタンバイ状態における電力変動回数の軽減のために、スタンバイ時の前記加熱素子のオフ時間を、画像形成動作時における前記加熱素子のオフ時間よりも長い一定時間に設定した
ことを特徴とするフリッカ抑制装置。
【請求項１１】  請求項１０において、前記温度制御手段は、スタンバイ中の目標温度に応じて前記加熱素子のオフ時間を変更することを特徴とするフリッカ抑制装置。
【請求項１２】  請求項１０において、
前記加熱素子のオフ時間を示すデータを格納したメモリをさらに備え、
前記温度制御手段は、前記メモリから読み出したデータに基づいて前記加熱素子の駆動を制御する
ことを特徴とするフリッカ抑制装置。
【請求項１３】  請求項１０において、
前記定着器は、第１および第２の加熱素子を有し、
前記温度制御手段は、前記第１および第２の加熱素子のそれぞれに対してスタンバイ時のオフ時間を独立に設定する
ことを特徴とするフリッカ抑制装置。
【請求項１４】  請求項１０において、
前記温度制御手段は、像形成動作が開始されるスタンバイ時のオフ時間の設定を解除することを特徴とするフリッカ抑制装置。
【請求項１５】  加熱素子を有する定着器と、
前記定着器の温度を検出する温度検出手段と、
前記温度検出手段により検出される温度が目標温度になるように前記加熱素子の駆動を制御する温度制御手段と
を有する画像形成装置におけるフリッカ抑制方法において、
前記画像形成装置が画像形成可能なスタンバイ状態か否かを判定する判定ステップと、
スタンバイ状態であると判定した場合に、スタンバイ時の前記加熱素子のオフ時間を、画像形成動作時における前記加熱素子のオフ時間よりも長い一定時間に設定する設定ステップと、
前記温度検出手段により検出される温度がスタンバイ中の目標温度になるように、設定されたオフ時間に基づいて前記加熱素子を駆動を制御する制御ステップと
を備えたことを特徴とするフリッカ抑制方法。
【請求項１６】  請求項１５において、前記設定ステップでは、スタンバイ中の目標温度に応じて前記加熱素子のオフ時間を変更することを特徴とするフリッカ抑制方法。
【請求項１７】  請求項１５において、
前記画像形成装置は前記加熱素子のオフ時間を示すデータを格納したメモリを有し、
前記設定ステップでは、前記メモリから読み出したデータに基づいてオフ時間を設定する
ことを特徴とするフリッカ抑制方法。
【請求項１８】  請求項１５において、
前記定着器は、第１および第２の加熱素子を有し、
前記設定ステップでは、前記第１および第２の加熱素子のそれぞれに対してスタンバイ時のオフ時間を独立に設定する
ことを特徴とするフリッカ抑制方法。
【請求項１９】  請求項１５において、
画像形成動作が開始されると、設定ステップで設定されたオフ時間を解除させる解除ステップをさらに備えたことを特徴とするフリッカ抑制方法。
【手続補正２】
【補正対象書類名】明細書
【補正対象項目名】０００２
【補正方法】変更
【補正の内容】
【０００２】
【従来の技術】
従来の画像記録装置、例えば、定着ヒータとしてメインヒータとサブヒータを有する複写機では、定着ローラの検出温度が目標温度未満になる度に、例えば、メインヒータが２４０ｍｓだけ点灯され、サブヒータが１６０ｍｓだけ点灯されるようになっている。
【手続補正３】
【補正対象書類名】明細書
【補正対象項目名】０００８
【補正方法】変更
【補正の内容】
【０００８】
【課題を解決するための手段】
請求項１の発明は、画像形成装置におけるフリッカ抑制装置において、加熱素子を有する定着器と、前記定着器の温度を検出する温度検出手段と、前記温度検出手段により検出される温度が目標温度になるように、パルス信号の周期により前記加熱素子の駆動を制御する温度制御手段とを備え、前記温度制御手段は、画像形成可能なスタンバイ状態における電力変動回数の軽減のために画像形成動作時におけるパルス信号の周期よりもスタンバイ状態におけるパルス信号の周期を長くしたことを特徴とする。
【手続補正４】
【補正対象書類名】明細書
【補正対象項目名】００１１
【補正方法】変更
【補正の内容】
【００１１】
請求項４の発明は、画像形成装置におけるフリッカ抑制装置において、加熱素子を有する定着器と、前記定着器の温度を検出する温度検出手段と、前記加熱素子をオンする時間を表わす制御データを格納したメモリと、前記温度検出手段により検出される温度が目標温度になるように前記メモリから読み出した制御データに基づく周期のパルス信号により前記加熱素子の駆動を制御する温度制御手段とを備え、画像形成可能なスタンバイ状態における電力変動回数の軽減のために、スタンバイ状態における制御データのオン時間が、画像形成動作時における制御データのオン時間よりも長くしたことを特徴とする。
【手続補正５】
【補正対象書類名】明細書
【補正対象項目名】００１４
【補正方法】変更
【補正の内容】
【００１４】
請求項７の発明は、加熱素子を有する定着器と、前記定着器の温度を検出する温度検出手段と、前記加熱素子をオンする時間を表わす制御データを格納したメモリとを有する画像形成装置におけるフリッカ抑制方法において、画像形成可能なスタンバイ状態になったとき、前記メモリからスタンバイ状態におけるオン時間を表わす第１の制御データを読み出す第１読み出しステップと、前記温度検出手段により検出される温度が第１の目標温度になるように、前記第１読み出しステップで読み出された第１の制御データに基づく周期のパルス信号により前記加熱素子を駆動する第１駆動ステップと、画像形成動作が開始されたとき、前記メモリから画像形成時におけるオン時間を表わす第２の制御データを読み出す第２読み出しステップと、前記温度検出手段により検出される温度が第１の目標温度になるように、前記第２読み出しステップで読み出された第２の制御データに基づく周期のパルス信号により前記加熱素子を駆動する第２駆動ステップとを備え、スタンバイ状態における電力変動回数の軽減のために、スタンバイ時におけるパルス信号の周期を、像形成時におけるパルス信号の周期よりも長くしたことを特徴とする。
【手続補正６】
【補正対象書類名】明細書
【補正対象項目名】００１５
【補正方法】変更
【補正の内容】
【００１５】
請求項７において、定着器は第１および第２の加熱素子を有することができ、第１および第２駆動ステップでは、第１および第２の加熱素子それぞれに対して読み出された制御データに基づく周期のパルス信号により第１および第２の加熱素子を駆動することができる。
【手続補正７】
【補正対象書類名】明細書
【補正対象項目名】００２７
【補正方法】削除
【補正の内容】
【手続補正８】
【補正対象書類名】明細書
【補正対象項目名】００２８
【補正方法】削除
【補正の内容】
【手続補正９】
【補正対象書類名】明細書
【補正対象項目名】００２９
【補正方法】削除
【補正の内容】
【手続補正１０】
【補正対象書類名】明細書
【補正対象項目名】００３０
【補正方法】削除
【補正の内容】
【手続補正１１】
【補正対象書類名】明細書
【補正対象項目名】００３１
【補正方法】削除
【補正の内容】